(57)【特許請求の範囲】
【請求項１】
四角形状の導光板と、
前記導光板の１つの端面に対向して配置される光源と、
前記導光板の主面が固定部材を介して設置されるとともに前記導光板が収容される容器と、を有するバックライト装置であって、
前記導光板の前記端面が前記光源側へ移動するのを規制する規制部材を有しており、
前記固定部材は、透光性を有しており、前記主面の前記端面側の１辺に隣接する２辺の少なくとも一方の縁部において、前記主面における前記一辺と反対側に前記光源から離隔しかつ前記１辺側に偏在して配置されているバックライト装置。
【請求項２】
前記固定部材は、前記１辺から前記２辺の少なくとも一方の長さの１／３までの範囲内に配置されている請求項１に記載のバックライト装置。
【請求項３】
前記固定部材は、前記２辺の少なくとも一方に沿って帯状に配置されている請求項１または請求項２に記載のバックライト装置。
【発明の詳細な説明】
【技術分野】
【０００１】
本発明は、液晶表示装置（Liquid  Crystal  Display：ＬＣＤ）等の透過型表示装置に用いられるバックライト装置に関するものである。
【背景技術】
【０００２】
従来の表示装置の一種であるＬＣＤの１例を図５〜図７に示す。図５は従来のＬＣＤの側断面図であり、図６は従来のＬＣＤのブロック回路図であり、図７は従来のＬＣＤのバックライト装置における液晶表示パネル側の面と反対側の面（裏面または下面）を示す下面図である。図５に示すように、ＬＣＤにおける液晶表示パネル２１は、例えば、薄膜トランジスタ（Thin  Film  Transistor  ：ＴＦＴ）を含む画素部が多数形成されたガラス基板等から成るアレイ側基板２２と、カラーフィルタ及びブラックマトリクスが形成されたガラス基板等から成るカラーフィルタ側基板２３とを互いに対向させて、それらの基板を所定の間隔でもって貼り合わせ、それらの基板間に液晶を充填、封入させることによって作製される。また、一般的に、カラーフィルタ側基板２３は、ＴＦＴ及び画素電極から成る画素部に対向する側の面、すなわち液晶側の面の全面に、画素電極との間で液晶に印加する垂直電界を形成するための共通電極が形成されている。この共通電極は、ＩＰＳ（In-Plane  Switching）方式のＬＣＤの場合、アレイ側基板２２の画素部に画素電極と同じ面内に形成されることによって横電界を生じさせるものとなる。また共通電極は、ＦＦＳ（Fringe  Field  Switching）方式のＬＣＤの場合、アレイ側基板２２の画素部に画素電極の上方または下方に絶縁層を挟んで形成されることによって端部電界（Fringe  Field）を生じさせるものとなる。
【０００３】
また、カラーフィルタ側基板２３の液晶側の面には、各画素部に対応する赤（Ｒ）、緑（Ｇ）、青（Ｂ）のカラーフィルタが形成されており、各画素部を通過する光が相互に干渉することを防ぐブラックマトリクスがカラーフィルタの外周を囲むように形成されている。また、カラーフィルタ層を覆ってオーバーコート層が形成されており、オーバーコート層上に共通電極が形成されている。また、アレイ側基板２２の液晶側の面の縁部全周と、カラーフィルタ側基板２３の液晶側の面の縁部全周とが、シリコーン樹脂、エポキシ樹脂、合成ゴム等から成る封止部材によって接着、封止されている。さらに、アレイ側基板２２の液晶側の面におけるカラーフィルタ側基板２３から外側に突出した部位には、ＩＣ，ＬＳＩ等から成る、ゲート信号線駆動回路、画像信号線駆動回路としての駆動回路素子２６がＣＯＧ（Chip  On  Glass）方式等の実装方法により搭載されている。また、液晶表示パネル２１のバックライト装置３０側の面には第１の偏光板２４が配置され、表示側の面には第２の偏光板２５が配置されている。
【０００４】
液晶表示パネル２１のアレイ側基板２２側には、ＬＥＤ（Light  Emitting  Diode）等の発光素子を有するバックライト装置３０が、樹脂製の枠体４２の開口及び平板状部42aを間に配して設置されている。枠体４２の平板状部42aは、枠体４２の内側側面から液晶表示パネル２１とバックライト装置３０との間の隙間に延出するように形成されている平板状の鍔部である。枠体４２の平板状部42aは、アレイ側基板２２のバックライト装置３０側の面の周縁部を支持するとともに、アレイ側基板２２とバックライト装置３０との間に間隔をあけるためのスペーサとしても機能する。
【０００５】
また、液晶表示パネル２１のカラーフィルタ側基板２３の上面（液晶側の面と反対側の面）の端部に、中央部に開口を有する平板部51aが平面視で重なる、Ａｌ等の金属から成るフロントベゼル５１がある。フロントベゼル５１は、上側の枠体であり、フェースボードとも呼ばれる。液晶表示パネル２１とバックライト装置３０は、アルミニウム（Ａｌ），亜鉛（Ｚｎ）メッキ鋼材等の金属、合金から成る下側の枠体（バックベゼル）５０に保護されており、フロントベゼル５１の側部と下側の枠体５０の側部とがネジ止め、係合等の手段によって固定されている。
【０００６】
また、バックライト装置３０は、その側面にＬＥＤ等の発光素子３４が配置されており、発光素子３４はフレキシブル回路基板（Flexible  Printed  Circuits：ＦＰＣ）等から成る実装基板３５に取り付けられて実装されている。また、バックライト装置３０は、アクリル樹脂等から成る導光板３１を有しており、導光板３１の液晶表示パネル２１側の面には、レンズ状突起あるいはビーズ状突起を多数有するレンズ（ビーズ）拡散シート、及び反射型偏光性フィルム（Dual  Brightness  Enhancement  Film）等から成る光再利用シートとしての光学シート３３が載置され固定されている。導光板３１の液晶表示パネル２１側の面と反対側の面には、反射シート３２が配置されている。また、導光板３１の光学シート３３側の面の縁部は、光学シート３３が配置されておらず、代わりに光を有効利用するための反射板４３が配置されている。そして、バックライト装置３０は、金属製の容器３６の内部に収容されている。図５においては、容器３６はバックライト装置３０を収容しているが、液晶表示パネル２１及びバックライト装置３０を収容する構成である場合もある。
【０００７】
容器３６のバックライト装置３０側の面と反対側の面（底部の外側表面）には、バックライト装置３０を駆動制御するための電子素子が実装されているとともに回路配線が形成されている回路基板４０が配置されている。さらに、容器３６の底部の外側表面側から枠体４２の外側側面を経由して駆動回路素子２６にかけて、駆動回路素子２６を駆動制御するための、ＦＰＣ等から成る可撓性回路基板４１が配置されている。また、下側の枠体５０に一端部がネジ止め、係合等の手段によって固定され、他端部がかしめ爪等によって固定されている、略板状のカバー部材５２があり、カバー部材５２は回路基板４０をカバーするために設置される。このカバー部材５２は、シールドカバー、バックボードとも呼ばれる。
【０００８】
また、図６は、従来のアクティブマトリクス型及びＩＰＳ型のＬＣＤの基本構成を示すブロック回路図である。例えば、ＬＣＤのアレイ側基板７７は、その上の第１の方向（例えば、行方向）に形成された複数本のゲート信号線７５（GL1，GL2，GL3〜GLm）と、第１の方向と交差する第２の方向（例えば、列方向）にゲート信号線７５と交差させて形成された複数本の画像信号線７６（SL1，SL2，SL3〜SLn）と、を有している。また、ゲート信号線７５と画像信号線７６の交差部に対応して配置されたＴＦＴ７１と、ＴＦＴ７１と接続された画素電極（PE11,PE12,PE13〜PEmn）と、画素電極（PE11,PE12,PE13〜PEmn）との間で液晶に印加する横電界等の電界を形成するための共通電極と、を含む画素部（P11，P12，P13〜Pmn）を有している。さらに、共通電極に共通電圧（Vcom）を供給する共通電圧線７２を有している。図６において、７３はゲート信号線駆動回路、７４は画像信号（ソース信号）線駆動回路、７８は表示部である。
【０００９】
また、図７に示すように、図５に示す従来のＬＣＤのバックライト装置３０は、例えば以下の構成を有している。四角形状の導光板３１と、導光板３１の端面31pに対向して配置される発光素子３４と、発光素子３４が実装される実装基板３５と、導光板３１の主面１ｍ、すなわち液晶表示パネル側の面と反対側の面（裏面または下面）が、両面粘着テープ等から成る固定部材31a，31bを介して設置される容器３６と、を有している。導光板３１は、実装基板３５に当接する当接部31tが端面31pにあり、固定部材31a，31bは、導光板３１の上記主面１ｍの端面31p側の１辺ｓ１に隣接する２辺ｓ２，ｓ４の各縁部において、２辺ｓ２，ｓ４に沿って、２辺ｓ２，ｓ４の長さに近い長さで配置されている。また、固定部材31a，31bは、反射シート３２の反射面に接着されており、反射シート３２の反射面と反対側の面（裏面または下面）には、固定部材31a，31bと同様の材質、形状、配置とされた、両面粘着テープ等から成る固定部材32a，32bがある。これにより、反射シート３２の下面が容器３６の内側底面に固定されている（例えば、特許文献１を参照）。
【先行技術文献】
【特許文献】
【００１０】
【特許文献１】特開２００８−９０３８号公報
【特許文献２】特開２００４−２１３９４３号公報
【発明の概要】
【発明が解決しようとする課題】
【００１１】
しかしながら、図５〜図７に示す上記従来のバックライト装置３０においては、図８〜図１０に示すように、以下の問題点があった。なお、図８〜図１０において、作用機構の理解のために固定部材31a，31bを省いている。図８に示すように、バックライト装置３０の温度が５０℃〜６０℃程度に上昇すると、導光板３１の主面31mの辺ｓ１はdy1の方向に、辺ｓ２はdx1の方向に、辺ｓ３はdy2の方向に、辺ｓ４はdx2の方向に、それぞれ移動するように膨張しようとする。しかし、導光板３１の端面31pにある当接部31tが実装基板３５に突き当たっているために、辺ｓ１はdy1の方向に膨張により移動することができない。その結果、辺ｓ１に対向する位置にある辺ｓ３はdy2の方向に膨張により移動する。
【００１２】
次に、図９に示す常温（２５℃程度）への降温時には、導光板３１の主面31mが収縮するので、導光板３１の主面31mの各辺ｓ１〜ｓ４は主面31mの中央部に向かって移動する。そうすると、図１０に示すように、発光素子３４の光が低反射で導光板３１の端面31pに入射し導光板３１内に均一に拡散するように設定された間隔ｋ１（図７に示す）が、ｋ２に変化しているので、発光素子３４の光が端面31pに低反射で入射せずに端面31p及びその周辺を明るく照らすこととなっていた。これにより、ＬＣＤの表示面を視認した場合、発光素子３４側の部位が局所的に明るくなる局所的明部31rが生じるという問題点、すなわち導光板３１の均一な光放射特性が劣化するという問題点があった。
【００１３】
上記の問題点は、図７に示す固定部材31a，31bを有するバックライト装置３０であっても、同様に生じていた。それは、バックライト装置３０の温度が５０℃〜６０℃程度に上昇した際に、固定部材31a，31bの粘着力が低下する傾向があるために、図８〜図１０に示す固定部材31a，31bがない場合に近い状態となるためと考えられる。また、上記の温度上昇時に、固定部材31a，31bの粘着力は、ポリエチレンテレフタレート（ＰＥＴ）等から成る反射シート３２及び容器３６に対しては保持されやすいが、アクリル樹脂等から成る導光板３１に対しては低下しやすくなるために、導光板３１が反射シート３２または容器３６に対して相対的に移動しやすくなることが考えられる（例えば、特許文献１を参照）。
【００１４】
上記の問題点を解消するために、固定部材を導光板３１の主面31mの辺ｓ１に沿って配置する構成（例えば、特許文献２を参照）が考えられるが、この構成では、発光素子３４の熱によって固定部材の粘着力が劣化するという問題点があった。また、ＬＣＤの表示面を視認した場合、一般に透明な固定部材が発光素子３４の近くにあると、導光板３１の光反射側の主面31mにおける光反射特性が、固定部材がある部位とない部位とで変化し、固定部材がある部位が固定部材がない部位よりも明るく光って見えるという問題点があった。
【００１５】
従って、本発明は、上記の問題点に鑑みて完成されたものであり、その目的は、昇温、降温の温度サイクルによって発光素子の発光面と導光板の端面との間の間隔が変化することを抑えて、導光板の均一な光放射特性の劣化を抑えることである。
【課題を解決するための手段】
【００１６】
本発明のバックライト装置は、四角形状の導光板と、前記導光板の１つの端面に対向して配置される光源と、前記導光板の主面が固定部材を介して設置されるとともに前記導光板が収容される容器と、を有するバックライト装置であって、前記導光板の前記端面が前記光源側へ移動するのを規制する規制部材を有しており、前記固定部材は、透光性を有しており、前記主面の前記端面側の１辺に隣接する２辺の少なくとも一方の縁部において、前記主面における前記一辺と反対側に前記光源から離隔しかつ前記１辺側に偏在して配置されている構成である。
【００１７】
本発明のバックライト装置は、好ましくは、前記固定部材は、前記１辺から前記２辺の少なくとも一方の長さの１／３までの範囲内に配置されている。
【００１８】
また本発明のバックライト装置は、好ましくは、前記固定部材は、前記２辺の少なくとも一方に沿って帯状に配置されている。
【発明の効果】
【００１９】
本発明のバックライト装置は、四角形状の導光板と、導光板の１つの端面に対向して配置される光源と、導光板の主面が固定部材を介して設置されるとともに導光板が収容される容器と、を有するバックライト装置であって、導光板の端面が光源側へ移動するのを規制する規制部材を有しており、固定部材は、透光性を有しており、上記主面の上記端面側の１辺に隣接する２辺の少なくとも一方の縁部において、上記主面における上記一辺と反
対側に上記光源から離隔しかつ上記１辺側に偏在して配置されている構成であることから、以下の効果を奏する。すなわち、昇温、降温の温度サイクルにおける降温時に、導光板の主面の光源側の部位の移動が固定部材によって規制されるので、光源の発光面と導光板の端面との間の間隔が変化することを抑えることができる。従って、導光板の均一な光放射特性が劣化することを抑えることができる。バックライト装置の輝度が低下することを抑えることができ、また表示装置の表示部の額縁部付近に輝度が低下した部位等が生じることを抑えることができる。また、透光性を有する固定部材が発光素子の近くにあると、導光板の光反射側の主面における光反射特性が、固定部材がある部位とない部位とで変化し、固定部材がある部位が固定部材がない部位よりも明るく光って見えるという問題点を解消することができる。
【００２０】
本発明のバックライト装置は、固定部材は、上記１辺から上記２辺の少なくとも一方の長さの１／３までの範囲内に配置されている場合、昇温、降温の温度サイクルにおける降温時に、導光板の主面の光源側の部位の移動が固定部材によってより規制されやすくなるので、光源の発光面と導光板の端面との間の間隔が変化することをより抑えることができる。
【００２１】
また本発明のバックライト装置は、固定部材は、上記２辺の少なくとも一方に沿って帯状に配置されている場合、固定部材の長手方向が上記２辺の少なくとも一方の方向に平行となるので、導光板の主面の光源側の部位の移動を固定部材によってより規制しやすくなる。その結果、光源の発光面と導光板の端面との間の間隔が変化することをより抑えることができる。また、固定部材は表示装置の額縁部に容易に隠れることとなるので、表示面を視認した場合、固定部材の部位が明るく光って見えることを容易に防ぐことができるという効果も奏する。
【図面の簡単な説明】
【００２２】
【図１】図１は、本発明のバックライト装置について実施の形態の１例を示す図であり、導光板及び発光素子の下面図である。
【図２】図２は、本発明のバックライト装置について実施の形態の他例を示す図であり、導光板及び発光素子の下面図である。
【図３】図３（ａ），（ｂ），（ｃ）は、それぞれ本発明のバックライト装置について実施の形態の他例を示す図であり、固定部材の各種例を示す、導光板及び発光素子の部分下面図である。
【図４】図４（ａ），（ｂ），（ｃ）は、それぞれ本発明のバックライト装置について実施の形態の他例を示す図であり、固定部材の各種例を示す、導光板及び発光素子の部分下面図である。
【図５】図５は、従来の液晶表示装置の１例の側断面図である。
【図６】図６は、従来の液晶表示装置の１例のブロック回路図である。
【図７】図７は、図５の従来の液晶表示装置の下面図である。
【図８】図８は、図５の従来の液晶表示装置について昇温時の下面図である。
【図９】図９は、図５の従来の液晶表示装置について降温時の下面図である。
【図１０】図１０は、図５の従来の液晶表示装置について均一な光放射特性が劣化した導光板を示す下面図である。
【発明を実施するための形態】
【００２３】
以下、本発明のバックライト装置の実施の形態について、図面を参照しながら説明する。図１〜図４は、本発明のバックライト装置について実施の形態の各種例を示すものであり、図１、図２は、それぞれ導光板及び発光素子の下面図であり、図３（ａ）〜（ｃ）、図４（ａ）〜（ｃ）は、それぞれ固定部材の各種例を示す導光板及び発光素子の部分下面図である。これらの図に示すように、本発明のバックライト装置は、四角形状の導光板１と、導光板１の１つの端面１ｐに対向して配置される光源３４と、導光板１の主面１ｍが固定部材１ａ，１ｂを介して設置されるとともに導光板１が収容される容器と、を有するバックライト装置であって、導光板１の端面１ｐが光源３４側へ移動するのを規制する規制部材を有しており、固定部材１ａ，１ｂは、主面１ｍの端面１ｐ側の１辺ｓ１に隣接する２辺ｓ２，ｓ４の少なくとも一方の縁部において、１辺ｓ１の側に偏在して配置されている構成である。なお、規制部材は、図１の例では導光板１の端面１ｐに突出して形成された当接部１ｔであり、この当接部１ｔが実装基板３５に当接している。上記の構成により、以下の効果を奏する。すなわち、昇温、降温の温度サイクルにおける降温時に、導光板１の主面１ｍの光源３４側の部位の移動が固定部材１ａ，１ｂによって規制されるので、光源３４の発光面34pと導光板１の端面１ｐとの間の間隔ｋ１が変化することを抑えることができる。従って、導光板の均一な光放射特性が劣化することを抑えることができる。
【００２４】
本発明のバックライト装置が用いられる表示装置としては、ＬＣＤ等の光源を必要とするものであればよい。以下の実施の形態においては、表示装置がＬＣＤである例について説明する。また、本発明のバックライト装置を有するＬＣＤは、全体の基本構成は図５に示す従来のＬＣＤと同様であるので、全体の構成についての詳細な説明は省略する。
【００２５】
本発明のバックライト装置が設置される容器３６は、例えば筐体等の箱状のものであるが、板状のものであってもよく、板状のものと枠体とを組み合わせたものであってもよい。また、容器３６は、放熱性が良好なことから、アルミニウム（Ａｌ），亜鉛（Ｚｎ）メッキ鋼材等の金属、ステンレススチール等の合金などから成ることがよい。また、バックライト装置が設置される容器３６の部位は、容器３６の内側底面等である。
【００２６】
本発明のバックライト装置における四角形状の導光板１は、アクリル樹脂、ポリカーボネート等から成る平板状の部材であるが、導光板１は、アクリル樹脂板であることがよい。この場合、アクリル樹脂は耐久性に優れること、光透過率が９３％程度と高いこと、加工性が高いこと、安価であることから、導光板１の材質として好適であるが、アクリル樹脂は、昇温時に固定部材１ａ，１ｂが両面粘着テープ等から成る場合に粘着力が低下しやすいという特性があり、本発明の構成を適用することによって従来の問題点が解消される。これにより、アクリル樹脂の導光板１としての有利な特性を活用することができる。また、導光板１は、長方形、正方形に限らず、台形、平行四辺形、菱形等の形状であってもよい。
【００２７】
また光源３４は、ＬＥＤ、有機エレクトロルミネッセンス（Organic  Electro  Luminescence：ＯＥＬ）素子、有機ＬＥＤ（Organic  Light  Emitting  diode：ＯＬＥＤ)素子、半導体レーザ（Laser  diode：ＬＤ）等の発光素子であるが、白色光が得られやすいこと、耐久性に優れることから、ＬＥＤが好ましい。また、光源３４は実装基板３５に実装されていてもよいし、実装基板３５がなくてもよい。
【００２８】
また本発明のバックライト装置は、端面１ｐが光源３４側へ移動するのを規制する規制部材を有しているが、規制部材が図１に示す導光板１にある当接部１ｔである場合、当接部１ｔは実装基板３５ではなく容器３６の内面に当接していてもよい。また、規制部材が容器３６にある場合、容器３６の内側底面、内側面等の内面に突起等の突出部を形成しておき、その突出部が導光板１の端面１ｐに当接する構成であってもよい。あるいは、規制部材は、導光板１及び容器３６とは別体のものであってもよい。
【００２９】
また固定部材１ａ，１ｂは、例えば、アクリル樹脂系粘着材、ポリエステル系粘着材、ゴム系粘着材、ウレタン樹脂系粘着材、エポキシ樹脂系粘着材、シリコーン樹脂系粘着材、フェノール樹脂系粘着材等の粘着材うちの１種、または２種以上を含むものから成る。また固定部材１ａ，１ｂは、ポリエステル系樹脂から成るシート状の基材の両面に、上記の粘着材の層を形成した積層型の両面粘着テープであることが好ましい。この場合、固定部材１ａ，１ｂの熱膨張係数を導光板１及び反射シート３２の熱膨張係数に近づけることが容易になる。また、固定部材１ａ，１ｂは透光性を有しており、それにより、バックライト装置の輝度が低下することを抑えることができ、また表示装置の表示部の額縁部付近に輝度が低下した部位等が生じることを抑えることができる。
【００３０】
図１の例において、導光板１は、実装基板３５に当接する当接部１ｔが端面１ｐにある。例えば、当接部１ｔの端面１ｐからの突出長さは１．１ｍｍ程度であり、光源３４の発光面34pと導光板１の端面１ｐとの間の間隔ｋ１を０．５７ｍｍ程度に設定している。その結果、光源３４の光が導光板１の端面１ｐから低反射で導光板１の内部に入射される。当接部１ｔは、導光板１と別体のものであってもよい。
【００３１】
本発明のバックライト装置において、固定部材は、導光板１の主面１ｍの端面１ｐ側の１辺ｓ１に隣接する２辺ｓ２，ｓ４の少なくとも一方の縁部において、１辺ｓ１の側に偏在して配置されている。図１の例では、固定部材１ａ，１ｂが、導光板１の主面１ｍの端面１ｐ側の１辺ｓ１に隣接する２辺ｓ２，ｓ４の各縁部に、配置されている。固定部材１ａが、導光板１の主面１ｍの端面１ｐ側の１辺ｓ１に隣接する２辺ｓ２，ｓ４の一方である辺ｓ４の縁部に配置されており、辺ｓ２の縁部に固定部材１ｂが配置されていない場合、導光板１の主面１ｍの辺ｓ２側の導光板１の端面に、他の固定部材が配置されていてもよい。この場合、他の固定部材は、固定部材１ａと同じ材質、形状、大きさであることが、固定部材１ａと固定力を同じにするうえでよい。
【００３２】
導光板１の主面１ｍは、例えば、液晶表示パネル２０側の主面（光放射主面）と反対側の主面（光反射側主面）である。また、導光板１の主面１ｍは光放射主面であってもよい。その場合、容器は固定部材１ａ，１ｂが固定される鍔部等を有するベゼル、枠体等であればよい。そして、図１に示すように、固定部材１ａ，１ｂは、１辺ｓ１から、辺ｓ２の中心と辺ｓ４の中心とを結んだ中心線1yoまでの間の部位に配置されていることがよい。この場合、昇温、降温の温度サイクルにおける降温時に、導光板１の主面１ｍの光源３４側の部位の移動が固定部材１ａ，１ｂによって規制されやすくなるので、光源３４の発光面34pと導光板１の端面１ｐとの間の間隔ｋ１が変化することをより抑えることができる。
【００３３】
さらに固定部材１ａ，１ｂは、図２に示すように、１辺ｓ１から、固定部材１ａ，１ｂが配置される２辺ｓ２，ｓ４の少なくとも一方の長さの１／３（図２の線1ya）までの範囲内（図２のＬ１の範囲内）に配置されていることが好ましい。この場合、昇温、降温の温度サイクルにおける降温時に、導光板１の主面１ｍの光源３４側の部位の移動が固定部材１ａ，１ｂによってさらに規制されやすくなるので、光源３４の発光面34pと導光板１の端面１ｐとの間の間隔ｋ１が変化することをさらに抑えることができる。より好ましくは、固定部材１ａ，１ｂは、１辺ｓ１から、２辺ｓ２，ｓ４の少なくとも一方の長さの１／５乃至１／３までの範囲内に配置されていることがよい。１／５未満では、導光板１の反射シート３２に対する固定力、または導光板１を直接容器３６に設置する場合の容器３６に対する固定力が、低下しやすい傾向がある。
【００３４】
また固定部材１ａ，１ｂは、それが配置される２辺ｓ２，ｓ４の少なくとも一方に沿って帯状に配置されていることが好ましい。この場合、固定部材１ａ，１ｂの長手方向が２辺ｓ２，ｓ４の方向に平行となるので、導光板１の主面１ｍの光源３４側の部位の移動を固定部材１ａ，１ｂによってより規制しやすくなる。その結果、光源３４の発光面34pと導光板１の端面１ｐとの間の間隔ｋ１が変化することをより抑えることができる。また、固定部材１ａ，１ｂは表示装置の額縁部に容易に隠れることとなるので、表示面を視認した場合、固定部材１ａ，１ｂの部位が明るく光って見えることを容易に防ぐことができるという効果も奏する。例えば、長方形状の導光板１の主面１ｍにおける辺ｓ１，ｓ３の長さが２２０ｍｍ程度、辺ｓ２，ｓ４の長さが１７３ｍｍ程度である場合、固定部材１ａ，１ｂの短手方向の長さは２ｍｍ程度であり、長手方向の長さは４４ｍｍ程度である。
【００３５】
本発明のバックライト装置は、図３（ａ）〜（ｃ）、図４（ａ）〜（ｃ）に示す各種の好適な形態を採用し得る。なお、これらの図において、辺ｓ２側に固定部材を配置する場合、その固定部材は固定部材1a1〜1a6とそれぞれ同様の構成であるので、図示していない。図３（ａ）は、正方形状の固定部材1a1を示す。この場合、固定部材1a1の固定力が、導光板１の主面１ｍにおける光源３４に近い部位でより局所的に働くので、固定部材1a1が導光板１の膨張、収縮の妨げになりにくい。また、正方形状の固定部材1a1の１辺の長さが、図１、図２における固定部材１ａの短手方向の長さよりも長いことがよい。これにより、固定部材1a1の面積が小さくなって固定力が低下することを抑えることができる。
【００３６】
図３（ｂ）は、円形状の固定部材1a2を示す。この場合、図３（ａ）の構成と同様の効果が得られる。また、円形状の固定部材1a2の直径の長さが、図１、図２における固定部材１ａの短手方向の長さよりも長いことがよい。これにより、固定部材1a2の面積が小さくなって固定力が低下することを抑えることができる。
【００３７】
図３（ｃ）は、楕円形状の固定部材1a3を示す。この場合、図３（ａ），（ｂ）の構成と同様の効果が得られる。また、固定部材1a3の面積が、図３（ａ），（ｂ）の構成と比較して大きくなるので、固定力が低下することをより抑えることができる。また、楕円形状の固定部材1a3の短径の長さが、図１、図２における固定部材１ａの短手方向の長さよりも長いことがよい。これにより、固定部材1a3の面積が小さくなって固定力が低下することをさらに抑えることができる。
【００３８】
図４（ａ）は、帯状の固定部材1a4が辺ｓ４に沿って複数並んでいる構成である。この場合、固定部材1a4の固定力を向上させることができる。
【００３９】
図４（ｂ）は、帯状の固定部材1a5が辺ｓ４に沿って複数並んでいる構成であって、中心線1yoに近い側の固定部材1a5の長さが、辺ｓ１に近い側の固定部材1a5の長さよりも短い構成である。この場合、図４（ａ）の構成と比較して、固定部材1a5が導光板１の膨張、収縮の妨げになりにくいものとなる。
【００４０】
図４（ｃ）は、帯状の固定部材1a6が辺ｓ１の方向に複数並んでいる構成である。この場合、図４（ａ），（ｂ）の構成と比較して、固定部材1a6が導光板１の膨張、収縮の妨げになりにくいとともに、固定部材1a6の固定力がより低下しにくいものとなる。
【００４１】
なお、本発明のバックライト装置は、上記実施の形態に限定されるものではなく、適宜の設計的な変更、改良が施されていてもよい。
【産業上の利用可能性】
【００４２】
本発明のバックライト装置を有する表示装置は各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、医療用モニター装置、デジタル表示式腕時計などがある。
【符号の説明】
【００４３】
１  導光板
１ａ、１ｂ  固定部材
１ｍ  主面
１ｐ  端面
１ｔ  当接部
３４  光源
３５  実装基板
ｓ１〜ｓ４  主面１ｍの辺
【図１】
0006737617.tif 000002
【図２】
0006737617.tif 000003
【図３】
0006737617.tif 000004
【図４】
0006737617.tif 000005
【図５】
0006737617.tif 000006
【図６】
0006737617.tif 000007
【図７】
0006737617.tif 000008
【図８】
0006737617.tif 000009
【図９】
0006737617.tif 000010
【図１０】
0006737617.tif 000011